(57)【特許請求の範囲】
【請求項１】
透光性材料から成る握り玉と、透光性材料から成り握り玉と一体形成された中実シャフトと、中実シャフトの自由端に対峙して配設された光源とを備え、握り玉のシャフトに対峙する部分がシャフトへ向けて縮径する円錐形状であることを特徴とするスロットマシンのスタートレバー発光機構。
【請求項２】
透光性材料からなる握り玉と、一端が握り玉に接続された中空シャフトと、中空シャフトの他端に対峙して配設された光源とを備え、握り玉のシャフトに対峙する部分がシャフトへ向けて縮径する円錐形状であることを特徴とするスロットマシンのスタートレバー発光機構。
【請求項３】
握り玉のシャフトに対峙しない側の表面が目粗し処理されていることを特徴とする請求項１又は２に記載のスロットマシンのスタートレバー発光機構。
【請求項４】
握り玉は、シャフトに対峙する側の半部分と、シャフトに対峙しない側の半部分とが接合されたものであり、両者の接合面は目粗し処理されていることを特徴とする請求項１乃至３の何れか１項に記載のスロットマシンのスタートレバー発光機構。
【請求項５】
握り玉は、シャフトに対峙する側の半部分と、シャフトに対峙しない側の半部分とが接合されたものであり、両者の接合部に光拡散シートが介挿されていることを特徴とする請求項１乃至３の何れか１項に記載のスロットマシンのスタートレバー発光機構。
【請求項６】
複数の光源が配設されていることを特徴とする請求項１乃至５の何れか１項に記載のスロットマシンのスタートレバー発光機構。
【発明の詳細な説明】
【０００１】
【発明の属する技術分野】
本発明はスロットマシンのスタートレバー発光機構に関するものである。
【０００２】
【従来の技術】
スロットマシンのスタートレバーを遊技者に明示するためのスタートレバー発光機構が従来から使用されている。従来のスロットマシンのスタートレバー発光機構は、スタートレバーの握り玉内に光源を配設し、光源に電力を供給する電線を握り玉から延びる中空シャフト内に配設するものであった。
【０００３】
【発明が解決しようとする課題】
従来のスロットマシンのスタートレバー発光機構には、揺動操作される中空シャフトから外部へ延びる電線が、中空シャフトの揺動操作に伴って屈曲伸長し、疲労破損するという問題がある。
本発明は記問題に鑑みてなされたものであり、従来に比べて耐久性が高いスロットマシンのスタートレバー発光機構を提供することを目的とする。
【０００４】
【課題を解決するための手段】
上記課題を解決するために、本発明においては、透光性材料から成る握り玉と、透光性材料から成り握り玉と一体形成された中実シャフトと、中実シャフトの自由端に対峙して配設された光源とを備え、握り玉のシャフトに対峙する部分がシャフトへ向けて縮径する円錐形状であることを特徴とするスロットマシンのスタートレバー発光機構を提供する。
本発明に係るスロットマシンのスタートレバー発光機構においては、光源から放射された光は、中実シャフトの自由端表面に入射し、透光性材料から成る中実シャフトと握り玉とを通って、握り玉の中実シャフトに対峙しない側の表面から放射される。本発明に係るスロットマシンのスタートレバー発光機構においては、光源は握り玉から延びる中実シャフトの自由端に対峙して配設されており中実シャフトから離れているので、光源に接続される電線は中実シャフトが揺動操作されても不動であり、疲労損傷しない。従って、本発明に係るスロットマシンのスタートレバー発光機構は従来に比べて耐久性が高い。
【０００５】
本発明においては、透光性材料からなる握り玉と、一端が握り玉に接続された中空シャフトと、中空シャフトの他端に対峙して配設された光源とを備え、握り玉のシャフトに対峙する部分がシャフトへ向けて縮径する円錐形状であることを特徴とするスロットマシンのスタートレバー発光機構を提供する。
本発明に係るスロットマシンのスタートレバー発光機構においては、光源から放射された光は、中空シャフトを通って握り玉のシャフトに対峙する側の表面に入射し、透光性材料から成る握り玉を通って、握り玉の中空シャフトに対峙しない側の表面から放射される。本発明に係るスロットマシンのスタートレバー発光機構においては、光源は握り玉から延びる中空シャフトの他端に対峙して配設されており中空シャフトから離れているので、光源に接続される電線は中空シャフトが揺動操作されても不動であり、疲労損傷しない。従って、本発明に係るスロットマシンのスタートレバー発光機構は従来に比べて耐久性が高い。
【０００６】
上記何れの発明においても、握り玉のシャフトに対峙する部分はシャフトへ向けて縮径する円錐形状である。
握り玉のシャフトに対峙する部分がシャフトへ向けて縮径する円錐形状であれば、シャフトを通って握り玉に入った光を円錐状に拡大させて、握り玉のシャフトに対峙しない側の表面に到達させ、握り玉のシャフトに対峙しない側の表面全体から放射させることができる。
【０００７】
本発明の好ましい態様においては、握り玉のシャフトに対峙しない側の表面が目粗し処理されている。
本発明の好ましい態様においては、握り玉は、シャフトに対峙する側の半部分と、シャフトに対峙しない側の半部分とが接合されたものであり、両者の接合面は目粗し処理がなされている。
本発明の好ましい態様においては、握り玉は、シャフトに対峙する側の半部分と、シャフトに対峙しない側の半部分とが接合されたものであり、両者の接合部に光拡散シートが介挿されている。
上記構成によれば、握り玉のシャフトに対峙しない側の表面から、むらの無い均一な光を放射させることができる。
【０００８】
本発明の好ましい態様においては、複数の光源が配設されている。
複数の光源を配設することにより、シャフトが如何なる揺動位置にあっても握り玉を発光させることができる。
握り玉のシャフトに対峙しない側の表面から、むらの無い均一な光を放射させることができる構成となっている場、赤、青、緑の光源を配設することにより、握り玉のシャフトに対峙しない側の表面を任意の色に、且つ色むら無く均一に発光させることができる。
【０００９】
【発明の実施の形態】
本発明の実施例に係る発光機構を備えるスタートレバーを有するスロットマシンを説明する。
図１に示すように、スロットマシン１の前面に、周面に複数のシンボルが表示された３個のリール２ａ、２ｂ、２ｃと、リール表示窓３と、表示器４と、メダル投入口５と、スタートレバー６と、押しボタン７ａ、７ｂ、７ｃを備える停止ボタンスイッチユニット７と、メダル投入スイッチ８と、清算スイッチ９と、メダル排出口１０と、メダル受け皿１１とが配設されている。
リール２ａ、２ｂ、２ｃはリール表示窓３内に配設されており、リール表示窓３を介してリール２ａ、２ｂ、２ｃの回転状態を見ることができる。リール２ａ、２ｂ、２ｃが停止すると、各リールの３駒分のシンボルが、上、中、下、斜めの停止ラインＬ１〜Ｌ５上に整列して並ぶ。停止ラインＬ１〜Ｌ５は、ゲームに投入されるメダルの枚数に応じて順次有効化される。１枚のメダルがゲームに投入されるとＬ１が有効化され、２枚のメダルがゲームに投入されるとＬ１〜Ｌ３が有効化され、３枚のメダルがゲームに投入されるとＬ１〜Ｌ５が有効化される。有効化された停止ライン上に整列したシンボルの組み合わせが入賞に係るものであれば、所定枚数のメダルが払い出される。
【００１０】
スタートレバー６を操作するとリール２ａ、２ｂ、２ｃがスタートし、押しボタン７ａ、７ｂ、７ｃを操作するとリール２ａ、２ｂ、２ｃが停止する。
メダル投入口５を介してメダルを投入する。メダル投入口５を介して投入されたメダルは、３枚までがゲームに投入され、３枚を超える枚数分のメダルは、スロットマシン１の機体内に貯留される。貯留されたメダルの枚数は表示器４に表示される。表示器４に貯留メダル数が表示されている時には、メダル投入スイッチ８を操作して、貯留されたメダルをゲームに投入することができる。メダル投入スイッチ８の操作により投入されたメダルは、３枚までがゲームに投入され、３枚を超える枚数分のメダルは、スロットマシン１の機体内に再度貯留される。
清算スイッチ９を操作すると、貯留されたメダルが、メダル排出口１０を介してメダル受け皿１１へ放出される。
【００１１】
図２に示すように、スタートレバー６は、透光性材料から成る握り玉６ａと、握り玉６ａと一体形成された透光性材料から成る中実シャフト６ｂとを備えている。
握り玉６ａは、中実シャフト６ｂに対峙する側の半部分６ａ1 と、中実シャフト６ｂに対峙しない側の半部分６ａ2 とが接合されたものであり、両者の接合面６ａ1 ′、６ａ2 ′はブラスト処理、梨子地処理等の目粗し処理がなされている。
握り玉６ａの半部分６ａ1 は中実シャフト６ｂへ向けて縮径する円錐形状を成している。
中実シャフト６ｂは、ピン６ｃを介して、揺動可能に筐体６ｄにより支持されている。中実シャフト６ｂの自由端近傍部と筐体６ｄとは、バネ６ｅにより接続されている。
筐体６ｄ内に、中実シャフト６ｂの自由端６ｂ′によりＯＮ／ＯＦＦされる図示しない電気接点が配設されている。
中実シャフト６ｂの自由端６ｂ′に対峙して、ＬＥＤ６ｆ、６ｇが配設されている。
握り玉６ａ、中実シャフト６ｂ、ＬＥＤ６ｆ、６ｇによりスタートレバー発光機構が形成されている。
握り玉６ａ〜ＬＥＤ６ｇにより、スタートレバーユニットが構成されている。
スタートレバーユニットは、スロットマシンのリールパネル１２に形成された開口を介して、スロットマシンのケーシング内へ挿入され、スロットマシンのケーシングに固定される。
【００１２】
上記構成を有する本実施例に係るスタートレバー発光機構によれば、スタートレバー６の非操作時には、ＬＥＤ６ｆから放射された光が、中実シャフト６ｂの自由端６ｂ′表面に入射し、透光性材料から成る中実シャフト６ｂと握り玉６ａの半部分６ａ1 とを通って、半部分６ａ1 の接合面６ａ1 ′に到達し、接合面６ａ1 ′から放射されて半部６ａ2 の接合面６ａ2 ′に入射し、半部６ａ2 を通って、握り玉６ａの中実シャフト６ｂに対峙しない側の表面６ａ2 ″から放射される。スタートレバー６の操作時には、中実シャフト６ｂは図２（ｂ）で反時計方向へ回動するので、ＬＥＤ６ｇから放射された光が、中実シャフト６ｂの自由端６ｂ′表面に入射し、透光性材料から成る中実シャフト６ｂと握り玉６ａの半部分６ａ1 とを通って、半部分６ａ1 の接合面６ａ1 ′に到達し、接合面６ａ1 ′から放射されて半部６ａ2 の接合面６ａ2 ′に入射し、半部６ａ2 を通って、握り玉６ａの中実シャフト６ｂに対峙しない側の表面６ａ2 ″から放射される。握り玉６ａが発光することにより、スタートレバー６が遊技者に明示される。
本実施例に係るスロットマシンのスタートレバー発光機構においては、光源であるＬＥＤ６ｆ、６ｇは握り玉６ａから延びる中実シャフト６ｂの自由端６ｂ′に対峙して配設されており、中実シャフト６ｂから離れているので、ＬＥＤ６ｆ、６ｇに接続される電線は中実シャフト６ｂが揺動操作されても不動であり、疲労損傷しない。従って、本実施例に係るスロットマシンのスタートレバー発光機構は従来に比べて耐久性が高い。
【００１３】
本実施例に係るスタートレバー発光機構においては、握り玉の６ａの中実シャフト６ｂに対峙する側の半部分６ａ1 が、中実シャフト６ｂへ向けて縮径する円錐形状なので、中実シャフト６ｂを通って握り玉の半部分６ａ1 に入った光を円錐状に拡大させて、握り玉６ａの中実シャフト６ｂに対峙しない側の表面６ａ2 ″に到達させ、表面６ａ2 ″全体から放射させることができる。
本実施例に係るスタートレバー発光機構においては、握り玉の半部分６ａ1 の接合面６ａ1 ′と、半部６ａ2 の接合面６ａ2 ′とが目粗し処理されているので、接合面６ａ1 ′から光が放射されて接合面６ａ2 ′に入射する際に、光が拡散し均一化される。従って、握り玉６ａの中実シャフト６ｂに対峙しない側の表面６ａ2 ″から、むらの無い均一な光を放射させることができる。
【００１４】
以上本発明の実施例を説明したが、本発明は上記実施例に限定されない。
中実シャフト６ｂに代えて、中空シャフトの一端を握り玉６ａに接続し、中空シャフトの他端に対峙してＬＥＤ６ｆ、６ｇを配設しても良い。ＬＥＤ６ｆ、６ｇから放射された光が、中空シャフトを通って握り玉の半部分６ａ1 の表面の中空シャフトに対峙する部位に入射し、透光性材料から成る握り玉６ａを通って、握り玉６ａの中空シャフトに対峙しない側の表面６ａ2 ″から放射される。
ＬＥＤ６ｆ、６ｇは握り玉６ａから延びる中空シャフトの他端に対峙して配設されており中空シャフトから離れているので、ＬＥＤ６ｆ、６ｇに接続される電線は中空シャフトが揺動操作されても不動であり、疲労損傷しない。この結果、スタートレバー発光機構の耐久性が従来に比べて向上する。
【００１５】
握り玉６ａの中実シャフト６ｂに対峙しない側の表面６ａ2 ″を目粗し処理しても良い。
握り玉６ａの半部分６ａ1 と半部分６ａ2 の接合部に光拡散シートを介挿しても良い。
上記構成によれば、握り玉６ａの中実シャフト６ｂに対峙しない側の表面６ａ2 ″から、むらの無い均一な光を放射させることができる。
【００１６】
中実シャフト６ｂの自由端６ｂ′に対峙して、赤、青、緑のＬＥＤを配設しても良い。
赤、青、緑のＬＥＤをＯＮ／ＯＦＦ制御し、また赤、青、緑のＬＥＤの輝度を制御することにより、目粗し処理された握り玉６ａの中実シャフト６ｂに対峙しない側の表面６ａ2 ″から、任意の色の、色むらの無い均一な光を放射させることができる。
【００１７】
【発明の効果】
本発明に係るスロットマシンのスタートレバー発光機構においては、光源は握り玉から延びる中実シャフトの他端に対峙して配設されており中実シャフトから離れているので、光源に接続される電線は中実シャフトが揺動操作されても不動であり、疲労損傷しない。従って、本発明に係るスロットマシンのスタートレバー発光機構は従来に比べて耐久性が高い。
握り玉のシャフトに対峙する部分がシャフトへ向けて縮径する円錐形状であれば、シャフトを通って握り玉に入った光を円錐状に拡大させて、握り玉のシャフトに対峙しない側の表面に到達させ、握り玉のシャフトに対峙しない側の表面全体から放射させることができる。
【図面の簡単な説明】
【図１】本発明の実施例に係る発光機構を備えるスタートレバーを有するスロットマシンの外観正面図である。
【図２】本発明の実施例に係る発光機構を備えるスタートレバーの構造図である。（ａ）は外観斜視図であり、（ｂ）は側断面図である。
【符号の説明】
１  スロットマシン
２ａ、２ｂ、２ｃ  リール
３  リール表示窓
４  表示器
５  メダル投入口
６  スタートレバー
６ａ  握り玉
６ｂ  中実シャフト
６ｆ、６ｇ  ＬＥＤ
７  停止ボタンスイッチユニット
８  メダル投入スイッチ
９  清算スイッチ
１０  メダル排出口
１１  メダル受け皿
１２  リールパネル
【図１】
0004577741.tif 000002
【図２】
0004577741.tif 000003